(57)【要約】      （修正有）【解決手段】ヘッド本体とフェース板により構成される。ヘッド本体の正面には溝座が設けられ、溝座の開口部の周囲には内から外へ向かうように充填空間と結合溝道が環設される。フェース板の周辺はヘッド本体に向かって延伸して折り曲げるように環状壁が形成され、環状壁の末端には結合フランジが設けられる。結合溝道と結合フランジは共同でヘッド本体とフェース板を嵌設して位置決めするのに用いられる。充填空間は充分な硬ろう付け材料を充填するのに用いられ、硬ろう付け材料が熱を受けた時には充填空間から結合溝道の内部に浸入することにより、硬ろう付け層が形成されるように構成されている。【効果】結合の強度を確実に強化し、結合の信頼度を確保し、さらにヘッドの使用寿命を延ばすことができる。【選択図】図３
0003111609.tif 000002
【実用新案登録請求の範囲】
【請求項１】
ヘッド本体（１）、少なくとも一個の充填空間（１６）、少なくとも一個の結合溝道（１５）、フェース板（２）および少なくとも一個の結合フランジ（２４）により構成されるゴルフクラブヘッドのフェース板の結合構造であって、ヘッド本体（１）はその正面には溝座（１２）が設けられ、溝座（１２）の開口部周縁にはフェース板接合ゾーンが設けられ、充填空間（１６）はヘッド本体（１）の上記フェース板接合ゾーンに設けられ、充填空間（１６）に硬ろう付け材料（３）を充填することができ、結合溝道（１５）は充填空間（１６）の底部に凹むように設けられ、フェース板（２）はその周辺からヘッド本体（１）に向かって延伸して折り曲げるように環状壁（２１）が形成され、環状壁（２１）にはヘッド本体接合ゾーンが設けられ、結合フランジ（２４）はフェース板（２）の上記ヘッド本体接合ゾーンに突出するように設けられると共に、結合フランジ（２４）はヘッド本体（１）の結合溝道（１５）に嵌設するのに用いられることを特徴とするゴルフクラブヘッドのフェース板の結合構造。
【請求項２】
硬ろう付け材料（３）により硬ろう付け層が形成され、上記硬ろう付け層はヘッド本体（１）の結合溝道（１５）と結合フランジ（２４）との接合する部位の内部に設けられることを特徴とする請求項１記載のゴルフクラブヘッドのフェース板の結合構造。
【請求項３】
ヘッド本体（１）の正面は結合溝道（１５）の外周縁において他に当接面（１４）が形成されることを特徴とする請求項１記載のゴルフクラブヘッドのフェース板の結合構造。
【請求項４】
フェース板（２）の結合フランジ（２４）の外周縁においてヘッド本体（１）の当接面（１４）に合わせて対応するように肩部（２３）が形成されることを特徴とする請求項３記載のゴルフクラブヘッドのフェース板の結合構造。
【請求項５】
ヘッド本体（１）の正面は充填空間（１６）の内周縁において他に内フランジ（１７）が形成されることにより、充填空間（１６）の硬ろう付け材料（３）が溝座（１２）の内部まで浸み漏れるのを防止することができることを特徴とする請求項１記載のゴルフクラブヘッドのフェース板の結合構造。
【請求項６】
ヘッド本体（１）の結合溝道（１５）の側壁において複数個の係止突出体（１５１）と複数個の充填材浸入空間（１５２）が間隔をもって排列するように形成され、係止突出体（１５１）はフェース板（２）の結合フランジ（２４）を係止するのに用いられ、充填材浸入空間（１５２）は毛細作用により浸入された部分的な硬ろう付け材料（３）を収容するのに用いられることを特徴とする請求項１記載のゴルフクラブヘッドのフェース板の結合構造。
【請求項７】
ヘッド本体（１）の充填空間（１６）はアンダーカットの構造に形成され、矩形、三角形、円弧形の断面のどれかに形成されることを特徴とする請求項１記載のゴルフクラブヘッドのフェース板の結合構造。
【請求項８】
ヘッド本体（１）の係止突出体（１５１）は矩形柱状、半円柱状、梯形柱状、三角柱状の柱体形状のどれかに形成されることを特徴とする請求項６記載のゴルフクラブヘッドのフェース板の結合構造。
【請求項９】
ヘッド本体（１）には他に周壁部（１３）が設けられ、周壁部（１３）は溝座（１２）においてホーゼル（１１）に近い同じ側に形成され、フェース板（２）には周壁部（１３）に対応するように凹欠部（２２）が設けられることを特徴とする請求項１記載のゴルフクラブヘッドのフェース板の結合構造。
【請求項１０】
ヘッド本体（１）の内フランジ（１７）は実質上として同じ高さまたは実質上として当接面（１４）より高くなるように選択することができることを特徴とする請求項５記載のゴルフクラブヘッドのフェース板の結合構造。
【請求項１１】
少なくとも一個の充填空間（１６）は非連続的に溝座（１２）のフェース板接合ゾーンの周囲に設けられることを特徴とする請求項１記載のゴルフクラブヘッドのフェース板の結合構造。
【請求項１２】
少なくとも一個の結合溝道（１５）は非連続的に溝座（１２）のフェース板接合ゾーンの周囲に設けられることを特徴とする請求項１記載のゴルフクラブヘッドのフェース板の結合構造。
【請求項１３】
ヘッド本体（１）、少なくとも一個の結合溝道（１５）、フェース板（２）および少なくとも一個の結合フランジ（２４）により構成されるゴルフクラブヘッドのフェース板の結合構造であって、ヘッド本体（１）はその正面には溝座（１２）が設けられ、溝座（１２）の開口部周縁にはフェース板接合ゾーンが設けられ、結合溝道（１５）は上記フェース板接合ゾーンの底部に凹むように設けられ、結合溝道（１５）の側壁には複数個の係止突出体（１５３）が間隔をもって排列するように形成され、フェース板（２）はその周辺からヘッド本体（１）に向かって延伸して折り曲げるように環状壁（２１）が形成され、環状壁（２１）にはヘッド本体接合ゾーンが設けられ、結合フランジ（２４）はフェース板（２）の上記ヘッド本体接合ゾーンに突出するように設けられると共に、結合フランジ（２４）はヘッド本体（１）の結合溝道（１５）の内部に嵌設するのに用いられ、そして係止突出体（１５１）によって強固な係止による位置決めが形成されることを特徴とするゴルフクラブヘッドのフェース板の結合構造。
【請求項１４】
他に少なくとも一個の充填空間（１６）が含まれ、充填空間（１６）はヘッド本体（１）の上記フェース板接合ゾーンに設けられることにより、硬ろう付け材料（３）を充填することができることを特徴とする請求項１３記載のゴルフクラブヘッドのフェース板の結合構造。
【請求項１５】
結合溝道（１５）は充填空間（１６）の底部に凹むように設けられることを特徴とする請求項１４記載のゴルフクラブヘッドのフェース板の結合構造。
【請求項１６】
硬ろう付け材料（３）により硬ろう付け層が形成され、上記硬ろう付け層はヘッド本体（１）の結合溝道（１５）と結合フランジ（２４）との接合する部位の内部に設けられることを特徴とする請求項１４記載のゴルフクラブヘッドのフェース板の結合構造。
【請求項１７】
ヘッド本体（１）の正面は結合溝道（１５）の外周縁において他に当接面（１４）が形成されることを特徴とする請求項１３記載のゴルフクラブヘッドのフェース板の結合構造。
【請求項１８】
フェース板（２）の結合フランジ（２４）の外周縁においてヘッド本体（１）の当接面（１４）に合わせて対応するように肩部（２３）が形成されることを特徴とする請求項１７記載のゴルフクラブヘッドのフェース板の結合構造。
【請求項１９】
ヘッド本体（１）の正面は充填空間（１６）の内周縁において他に内フランジ（１７）が形成されることにより、充填空間（１６）の硬ろう付け材料（３）が溝座（１２）の内部まで浸み漏れるのを防止することができることを特徴とする請求項１３記載のゴルフクラブヘッドのフェース板の結合構造。
【請求項２０】
ヘッド本体（１）の結合溝道（１５）の各隣接する二個の係止突出体（１５３）の間にはそれぞれ充填材浸入空間（１５４）が挟設され、充填材浸入空間（１５４）は毛細作用により浸入された部分的な硬ろう付け材料（３）を収容するのに用いられることを特徴とする請求項１３記載のゴルフクラブヘッドのフェース板の結合構造。
【請求項２１】
ヘッド本体（１）の充填空間（１６）はアンダーカットの構造に形成され、矩形、三角形、円弧形の断面のどれかに形成されることを特徴とする請求項１３記載のゴルフクラブヘッドのフェース板の結合構造。
【請求項２２】
ヘッド本体（１）の係止突出体（１５３）は矩形柱状、半円柱状、梯形柱状、三角柱状の柱体形状のどれかに形成されることを特徴とする請求項２０記載のゴルフクラブヘッドのフェース板の結合構造。
【請求項２３】
ヘッド本体（１）には他に周壁部（１３）が設けられ、周壁部（１３）は溝座（１２）においてホーゼル（１１）に近い同じ側に形成され、フェース板（２）には周壁部（１３）に対応するように凹欠部（２２）が設けられることを特徴とする請求項１３記載のゴルフクラブヘッドのフェース板の結合構造。
【請求項２４】
ヘッド本体（１）の内フランジ（１７）は実質上として同じ高さまたは実質上として当接面（１４）より高くなるように選択することができることを特徴とする請求項１９記載のゴルフクラブヘッドのフェース板の結合構造。
【請求項２５】
少なくとも一個の充填空間（１６）は非連続的に溝座（１２）のフェース板接合ゾーンの周囲に設けられることを特徴とする請求項１４記載のゴルフクラブヘッドのフェース板の結合構造。
【請求項２６】
少なくとも一個の結合溝道（１５）は非連続的に溝座（１２）のフェース板接合ゾーンの周囲に設けられることを特徴とする請求項１３記載のゴルフクラブヘッドのフェース板の結合構造。
【請求項２７】
ヘッド本体（１）、少なくとも一個の充填空間（１６）、少なくとも一個の結合溝道（１５）、フェース板（２）および少なくとも一個の結合フランジ（２４）により構成されるゴルフクラブヘッドのフェース板の結合構造であって、ヘッド本体（１）はその正面には溝座（１２）が設けられ、溝座（１２）の開口部周縁にはフェース板接合ゾーンが設けられ、充填空間（１６）はヘッド本体（１）の上記フェース板接合ゾーンに設けられ、充填空間（１６）に硬ろう付け材料（３）を充填することができ、結合溝道（１５）は充填空間（１６）の底部に凹むように設けられ、フェース板（２）はその周辺からヘッド本体（１）に向かって延伸して折り曲げるように環状壁（２１）が形成され、環状壁（２１）にはヘッド本体接合ゾーンが設けられ、結合フランジ（２４）はフェース板（２）の上記ヘッド本体接合ゾーンに突出するように設けられ、結合フランジ（２４）の側壁には複数個の係止突出体が間隔をもって排列するように形成され、結合フランジ（２４）はヘッド本体（１）の結合溝道（１５）に嵌設するのに用いられ、さらに上記係止突出体は結合溝道（１５）の側壁を係止し結合するのに用いられることを特徴とするゴルフクラブヘッドのフェース板の結合構造。
【請求項２８】
正面溝座（１２）、少なくとも一個の充填空間（１６）および少なくとも一個の結合溝道（１５）により構成されるゴルフクラブヘッドのヘッド本体の構造であって、正面溝座（１２）はその開口部周縁にはフェース板接合ゾーンが設けられ、充填空間（１６）はヘッド本体（１）の上記フェース板接合ゾーンに設けられ、充填空間（１６）に硬ろう付け材料（３）を充填することができ、結合溝道（１５）は充填空間（１６）の底部に凹むように設けられることを特徴とするゴルフクラブヘッドのヘッド本体の構造。
【請求項２９】
正面溝座（１２）、少なくとも一個の充填空間（１６）および少なくとも一個の結合溝道（１５）により構成されるゴルフクラブヘッドのヘッド本体の構造であって、正面溝座（１２）はその開口部周縁にはフェース板接合ゾーンが設けられ、充填空間（１６）はヘッド本体（１）の上記フェース板接合ゾーンに設けられ、充填空間（１６）に硬ろう付け材料（３）を充填することができ、結合溝道（１５）は充填空間（１６）の底部に凹むように設けられ、結合溝道（１５）の側壁には複数個の係止突出体（１５１、１５３）が間隔をもって排列するように形成されることを特徴とするゴルフクラブヘッドのヘッド本体の構造。
【請求項３０】
環状壁（２１）および少なくとも一個の結合フランジ（２４）により構成されるゴルフクラブヘッドのフェース板の構造であって、環状壁（２１）はフェース板（２）の周辺から背面に向かって延伸して折り曲げるように形成され、環状壁（２１）にはヘッド本体接合ゾーンが設けられ、結合フランジ（２４）はフェース板（２）の上記ヘッド本体接合ゾーンに突出するように設けられることを特徴とするゴルフクラブヘッドのフェース板の構造。
【請求項３１】
環状壁（２１）および少なくとも一個の結合フランジ（２４）により構成されるゴルフクラブヘッドのフェース板の構造であって、環状壁（２１）はフェース板（２）の周辺から背面に向かって延伸して折り曲げるように形成され、環状壁（２１）にはヘッド本体接合ゾーンが設けられ、結合フランジ（２４）はフェース板（２）の上記ヘッド本体接合ゾーンに突出するように設けられ、結合フランジ（２４）の側壁には複数個の係止突出体が間隔をもって排列するように形成されることを特徴とするゴルフクラブヘッドのフェース板の構造。
【考案の詳細な説明】
【技術分野】
【０００１】
本考案は、ゴルフクラブヘッドのフェース板の結合構造に関するもので、特にヘッド本体に結合溝道、充填空間と複数個の係止突出体を設け、それぞれ嵌合、硬ろう付け熔接と変形による係止の方式を利用してフェース板を強固に結合する構造に係るものである。
【背景技術】
【０００２】
従来のゴルフクラブヘッドのフェース板の結合構造としては、ヘッド枠体およびフェース板が含まれ、上記ヘッド枠体およびフェース板は金属により製成される。上記ヘッド枠体は上記フェース板を結合した位置において開口部が設けられ、上記開口部の内部には肩面が形成され、上記肩面は熔接材料を載置するのに用いることができる。上記フェース板平板状に形成されると共に、上記肩面の上に嵌入し圧合されることができ、さらに上記肩面の内周縁の突出部は少し圧力を受けて変形することにより、上記熔接材料は上記フェース板、肩面と突出部が囲んで形成した隙間の内部を充填するように形成され、上記熔接材料は金属粉末により製成され、その融点は上記ヘッド枠体およびフェース板より低くなるように形成され、それから再び噛合し終えた上記ヘッド枠体およびフェース板を真空炉または惰性気体により保護される高温炉の内部に置き入れて加熱を行い、その加熱温度は熔接材料の融点より高くならなければならず、さらにヘッド枠体およびフェース板の融点より低くならなければならず、熔接材料を溶融させ、さらに毛細作用によりヘッド枠体およびフェース板の間の微小な隙間を充填させ、冷却した後、緊密に結合して外観から熔接の痕跡が見られないヘッドの完成品を獲得することができるようにとしたものがある（例えば、特許文献１を参照）。
【特許文献１】中華民国公告番号第３２７６０６号公報
【考案の開示】
【考案が解決しようとする課題】
【０００３】
上記のような従来のゴルフクラブヘッドのフェース板の結合構造においては、上述した硬ろう付けによる結合構造において、上記フェース板、肩部と突出部が囲んで形成した充填空間には限られた熔接材料しか収容することができず、また一部分の上記熔接材料は開口部の内周縁とフェース板の外周縁との間の微小な隙間を充填するのに用いられることにより、上記フェース板、肩部と突出部が囲んで形成した充填空間の熔接材料の一部分は毛細作用によって浸み出るため、局部的な空洞が生じてしまう。そのため、フェース板が打球の応力を受けて弾性変形した時、各熔接の結合位置には極めて亀裂が生じ易いため、フェース板がヘッド枠体から離脱してしまうという問題点があった。上述した問題点を克服するべく、上記のような従来の技術では他にヘッド枠体の突出部を利用して上記フェース板を鋲接しないと、フェース板が打球時において脱落してしまうのを避けることができず、このように製造工程が増えるばかりか、製造コストが高くなるという問題点があった。このように、上記のような従来のゴルフクラブヘッドのフェース板の結合構造をさらに改良しなければならない。
【０００４】
本考案はこのような問題点に鑑みて考案したものであって、その目的とするところは、ヘッド本体の正面には結合溝道が環設され、結合溝道の内周縁には充分な硬ろう付け材料を充填するための充填空間が形成され、結合溝道の少なくとも片側には他に複数個の係止突出体と複数個の充填材浸入空間が間隔をもって排列するように形成されることにより、Ｕ字形の断面を有するフェース板を強固に硬ろう付けして係合することができるため、結合の強度を確実に強化し、結合の信頼度を確保し、さらにヘッドの使用寿命を延ばすことができるゴルフクラブヘッドのフェース板の結合構造を提供しようとするものである。
【０００５】
本考案の第一の目的は、ヘッド本体の正面には結合溝道を利用してフェース板の環状壁を嵌設して結合し、結合溝道の内周縁には充分な硬ろう付け材料を充填するための充填空間が形成されることにより、結合の強度を強化し、結合の信頼度を確保することができるゴルフクラブヘッドのフェース板の結合構造を提供しようとするものである。
【０００６】
本考案の第二の目的は、ヘッド本体の正面には結合溝道を利用してフェース板を嵌設して結合し、結合溝道の少なくとも片側にはさらに複数個の係止突出体と複数個の充填材浸入空間が間隔をもって排列するように形成されることにより、結合の強度を強化し、結合の信頼度を確保することができるゴルフクラブヘッドのフェース板の結合構造を提供しようとするものである。
【０００７】
上記目的を達成するために、本考案によるゴルフクラブヘッドのフェース板の結合構造は、下記のようになるものである。すなわち、
ヘッド本体、少なくとも一個の充填空間、少なくとも一個の結合溝道、フェース板および少なくとも一個の結合フランジにより構成される。ヘッド本体はその正面には溝座が設けられ、溝座の開口部周縁にはフェース板接合ゾーンが設けられる。充填空間はヘッド本体の上記フェース板接合ゾーンに設けられ、充填空間に硬ろう付け材料を充填することができる。結合溝道は充填空間の底部に凹むように設けられる。フェース板はその周辺からヘッド本体に向かって延伸して折り曲げるように環状壁が形成され、環状壁にはヘッド本体接合ゾーンが設けられる。結合フランジはフェース板の上記ヘッド本体接合ゾーンに突出するように設けられると共に、結合フランジはヘッド本体の結合溝道に嵌設するのに用いられる。
【０００８】
本考案によるゴルフクラブヘッドのフェース板の結合構造は、硬ろう付け材料により硬ろう付け層が形成され、上記硬ろう付け層はヘッド本体の結合溝道と結合フランジとの接合する部位の内部に設けられることもできる。また、ヘッド本体の正面は結合溝道の外周縁において他に当接面が形成されることもできる。また、フェース板の結合フランジの外周縁においてヘッド本体の当接面に合わせて対応するように肩部が形成されることもできる。また、ヘッド本体の正面は充填空間の内周縁において他に内フランジが形成されることにより、充填空間の硬ろう付け材料が溝座の内部まで浸み漏れるのを防止することもできる。また、ヘッド本体の結合溝道の側壁において複数個の係止突出体と複数個の充填材浸入空間が間隔をもって排列するように形成され、係止突出体はフェース板の結合フランジを係止するのに用いられ、充填材浸入空間は毛細作用により浸入された部分的な硬ろう付け材料を収容するのに用いられることもできる。また、ヘッド本体の充填空間はアンダーカットの構造に形成され、矩形、三角形、円弧形の断面のどれかに形成されることもできる。また、ヘッド本体の係止突出体は矩形柱状、半円柱状、梯形柱状、三角柱状の柱体形状のどれかに形成されることもできる。また、ヘッド本体には他に周壁部が設けられ、周壁部は溝座においてホーゼルに近い同じ側に形成され、フェース板には周壁部に対応するように凹欠部が設けられることもできる。また、ヘッド本体の内フランジは実質上として同じ高さまたは実質上として当接面より高くなるように選択することもできる。また、少なくとも一個の充填空間は非連続的に溝座のフェース板接合ゾーンの周囲に設けられることもできる。また、少なくとも一個の結合溝道は非連続的に溝座のフェース板接合ゾーンの周囲に設けられることもできる。
【０００９】
また、本考案によるゴルフクラブヘッドのフェース板の結合構造は、ヘッド本体、少なくとも一個の結合溝道、フェース板および少なくとも一個の結合フランジにより構成される。ヘッド本体はその正面には溝座が設けられ、溝座の開口部周縁にはフェース板接合ゾーンが設けられる。結合溝道は上記フェース板接合ゾーンの底部に凹むように設けられ、結合溝道の側壁には複数個の係止突出体が間隔をもって排列するように形成される。フェース板はその周辺からヘッド本体に向かって延伸して折り曲げるように環状壁が形成され、環状壁にはヘッド本体接合ゾーンが設けられる。結合フランジはフェース板の上記ヘッド本体接合ゾーンに突出するように設けられると共に、結合フランジはヘッド本体の結合溝道の内部に嵌設するのに用いられ、そして係止突出体によって強固な係止による位置決めが形成されることもできる。
【００１０】
また、本考案によるゴルフクラブヘッドのフェース板の結合構造は、ヘッド本体、少なくとも一個の充填空間、少なくとも一個の結合溝道、フェース板および少なくとも一個の結合フランジにより構成される。ヘッド本体はその正面には溝座が設けられ、溝座の開口部周縁にはフェース板接合ゾーンが設けられる。充填空間はヘッド本体の上記フェース板接合ゾーンに設けられ、充填空間に硬ろう付け材料を充填することができる。結合溝道は充填空間の底部に凹むように設けられる。フェース板はその周辺からヘッド本体に向かって延伸して折り曲げるように環状壁が形成され、環状壁にはヘッド本体接合ゾーンが設けられる。結合フランジはフェース板の上記ヘッド本体接合ゾーンに突出するように設けられ、結合フランジの側壁には複数個の係止突出体が間隔をもって排列するように形成され、結合フランジはヘッド本体の結合溝道に嵌設するのに用いられ、さらに上記係止突出体は結合溝道の側壁を係止し結合するのに用いられることもできる。
【００１１】
また、本考案によるゴルフクラブヘッドのヘッド本体の構造は、正面溝座、少なくとも一個の充填空間および少なくとも一個の結合溝道により構成される。正面溝座はその開口部周縁にはフェース板接合ゾーンが設けられる。充填空間はヘッド本体の上記フェース板接合ゾーンに設けられ、充填空間に硬ろう付け材料を充填することができる。結合溝道は充填空間の底部に凹むように設けられることもできる。
【００１２】
また、本考案によるゴルフクラブヘッドのヘッド本体の構造は、正面溝座、少なくとも一個の充填空間および少なくとも一個の結合溝道により構成される。正面溝座はその開口部周縁にはフェース板接合ゾーンが設けられる。充填空間はヘッド本体の上記フェース板接合ゾーンに設けられ、充填空間に硬ろう付け材料を充填することができる。結合溝道は充填空間の底部に凹むように設けられ、結合溝道の側壁には複数個の係止突出体が間隔をもって排列するように形成されることもできる。
【００１３】
また、本考案によるゴルフクラブヘッドのフェース板の構造は、環状壁および少なくとも一個の結合フランジにより構成される。環状壁はフェース板の周辺から背面に向かって延伸して折り曲げるように形成され、環状壁にはヘッド本体接合ゾーンが設けられる。結合フランジはフェース板の上記ヘッド本体接合ゾーンに突出するように設けられることもできる。
【００１４】
さらに、本考案によるゴルフクラブヘッドのフェース板の構造は、環状壁および少なくとも一個の結合フランジにより構成される。環状壁はフェース板の周辺から背面に向かって延伸して折り曲げるように形成され、環状壁にはヘッド本体接合ゾーンが設けられる。結合フランジはフェース板の上記ヘッド本体接合ゾーンに突出するように設けられ、結合フランジの側壁には複数個の係止突出体が間隔をもって排列するように形成されることもできる。
【考案の効果】
【００１５】
本考案のゴルフクラブヘッドのフェース板の結合構造によれば、ヘッド本体の正面には結合溝道を利用してフェース板の環状壁を嵌設して結合し、結合溝道の内周縁には充分な硬ろう付け材料を充填するための充填空間が形成されることにより、結合の強度を強化し、結合の信頼度を確保することができるという利点がある。
【００１６】
本考案のゴルフクラブヘッドのフェース板の結合構造によれば、ヘッド本体の正面には結合溝道を利用してフェース板を嵌設して結合し、結合溝道の少なくとも片側にはさらに複数個の係止突出体と複数個の充填材浸入空間が間隔をもって排列するように形成されることにより、結合の強度を強化し、結合の信頼度を確保することができるという利点がある。
【考案を実施するための最良の形態】
【００１７】
本考案の実施の形態について、以下、図面を参照して説明する。
【実施例１】
【００１８】
図１を参照すると、本考案の実施例１のゴルフクラブヘッドのフェース板の結合構造にはヘッド本体１およびフェース板２が含まれる。ヘッド本体１はアイアン型、ウッド型またはパター型などの従来のヘッドの基本構造から選択することができるが、本考案においては下記においてアイアン型ヘッドとウッド型ヘッドを例に挙げるため、その他のヘッドの基本構造については再び詳しく説明しない。
【００１９】
図１、１Ａ、２を参照すると、本考案の実施例１のヘッド本体１にはホーゼル１１、溝座１２、周壁部１３、当接面１４、結合溝道１５、充填空間１６と内フランジ１７が設けられる。ホーゼル１１は一体成型または熔接のどちらかによりヘッド本体１の片側に結合される。溝座１２はヘッド本体１の正面に形成され、溝座１２はヘッド本体１の背面まで連通され、溝座１２はフェース板２が後方への弾性変形の空間を提供するのに用いられる。周壁部１３は溝座１２においてホーゼル１１に近い同じ片側に形成される。当接面１４、結合溝道１５、充填空間１６と内フランジ１７は共同でフェース板接合ゾーンを定義して形成すると共に、順序よく外から内へ向かうように溝座１２の開口部の周囲に設けられる。結合溝道１５は当接面１４と充填空間１６の間に形成される。結合溝道１５は当接面１４に近い片側においてさらに複数個の係止突出体１５１と複数個の充填材浸入空間１５２が間隔をもって排列されることにより、係止して嵌合するのに役立つことができる。係止突出体１５１は好ましくは矩形の柱状に形成され、そして弾性／塑性変形による係止の自由度を有するように形成される。充填材浸入空間１５２には毛細作用によって浸入された部分的な硬ろう付け材料３（図３参照）を収容することができる。充填空間１６はアンダーカットの構造に形成され、その断面は矩形に形成され、そして硬ろう付け材料３を充填することができる。充填溝道１５の深さは結合空間１６の深さより大きくなるように形成されるため、加熱して硬ろう付けを行う時、硬ろう付け材料３は重力と毛細作用によって結合溝道１５の内部に浸入することができる。内フランジ１７は充填空間１６の硬ろう付け材料３が溝座１２の内部まで浸み漏れるのを防止するのに用いられる。
【００２０】
再び図２Ａを参照すると、ヘッド本体１の正面において内フランジ１７の高さＨ１（充填空間１６の充填口の高さに相当する）は好ましくは実質上として当接面１４の高さＨ２（結合溝道１５の開口部の高さに相当する）より大きくなるように形成される。また、図２Ｂを参照すると、製品の需要性に応じて内フランジ１７の高さＨ１も実質上として当接面１４の高さＨ２と同じになるように選択することができる。
【００２１】
再び図１、１Ａ、２を参照すると、本考案の実施例１のフェース板２には環状壁２１、凹欠部２２、肩部２３と結合フランジ２４が設けられる。環状壁２１はフェース板２の周辺からヘッド本体１に向かって折り曲げるように延伸して形成される。凹欠部２２はフェース板２においてホーゼル１１に近い片側に形成される。環状壁２１と凹欠部２２の設置によってフェース板２はＵ字形またはＬ字形の断面を有するように形成されるため、弾性の変形能力を増やすことができる。肩部２３と結合フランジ２４は共同でヘッド本体接合ゾーンを定義して形成すると共に、環状壁２１の末端に設けられる。結合フランジ２４は突出して肩部２３の表面より高くなるように形成され、そして好ましくは肩部２３の内側に設けられる。
【００２２】
図３を参照すると、予め組立時において、フェース板２の凹欠部２２、肩部２３と結合フランジ２４をそれぞれヘッド本体１の周壁部１３、当接面１４と結合溝道１５に位置合わせする。それから、フェース板２の結合フランジ２４をヘッド本体１の結合溝道１５に嵌設して結合させることにより、肩部２３は勢いよく当接面１４に当接するように形成される。組み立てる期間において、結合溝道１５の係止突出体１５１は結合フランジ２４の外側面の強力な当接と係止を受けることにより、係止突出体１５１には弾性変形または塑性変形（永久変形）が生じるため、結合フランジ２４は結合溝道１５の内部に緊密に結合し位置決めされる。これにより、本考案においては余分に取り付け具または工具機械を使用することなく、フェース板２とヘッド本体１との相対的な組立の関係を維持することができるため、後続の硬ろう付けの製造工程における精確な組立の位置決めを簡単にすることができる。組立後において、フェース板２の環状壁２１の内壁面とヘッド本体１の内フランジ１７の間には充填空間１６が形成される。硬ろう付けの製造工程を行う前、操作員はヘッド本体１の溝座１２の背面から充分な硬ろう付け材料３を充填空間１６の内部に充填することができる。
【００２３】
それから、再び図３を参照すると、硬ろう付けの製造工程を行う時、硬ろう付け材料３に熱を受けさせて溶融させ、硬ろう付け材料３の一部分は重力または毛細作用によって結合溝道１５と結合フランジ２４の結合面に浸入し、もう一部分は毛細作用によって充填材浸入空間１５２まで浸入し、そして残った部分は充填空間１６の内部に残留する。硬ろう付けの製造工程を行った後、硬ろう付け材料３は冷却して硬ろう付け層（図示せず）が形成されるため、ヘッド本体１とフェース板２を強固に硬ろう付けして結合することができる。これにより、ヘッド本体１とフェース板２との間には嵌合、硬ろう付けと弾性／塑性変形による係止の結合構造が同時に形成されるため、結合の強度を相対的に強化すると共に、結合の信頼度を確保することができ、また結合の位置に亀裂が生じるのを有効に避けることができ、さらにフェース板２がヘッド本体１から離脱するのを防止することができるため、ヘッドの使用寿命を相対的に延ばすことができる。
【００２４】
一方、係止突出体１５１と充填材浸入空間１５２はヘッド本体１の結合溝道１５の側壁に設置される他に、フェース板２の環状壁２１の結合フランジ２４に設置することもできる。すなわち、フェース板２の結合フランジ２４の側壁には複数個の係止突出体と充填材浸入空間（図示せず）が間隔をもって排列するように形成される。結合フランジ２４がヘッド本体１の結合溝道１５に嵌設された時、結合フランジ２４の上記係止突出体は結合溝道１５の側壁を係止し結合することができ、さらに上記充填材浸入空間は毛細作用により浸入された部分的な硬ろう付け材料３を収容するのに用いられる。
【実施例２】
【００２５】
図４を参照すると、本考案の実施例２のゴルフクラブヘッドのフェース板の結合構造が掲示される。実施例１と比較すると、実施例２においてヘッド本体１の充填空間１６はさらに三角形、円弧形などのその他の断面形状のどれかに形成されることにより、比較的多い硬ろう付け材料３を充填することができると共に、比較的よい導引の効果を有するように形成されるため、硬ろう付け材料３が毛細作用によって結合溝道１５の内部に充分に浸入するのを導引することができる。組立と硬ろう付けを行った後、結合フランジ２４、肩部２３、結合溝道１５と充填空間１６の間にも同様に硬ろう付け層（図示せず）が形成される。これにより、ヘッド本体１とフェース板２の間には同時に嵌合、変形の係止と硬ろう付けによる結合構造が形成されるため、結合強度を相対的に強化し、さらに結合の信頼性を高めることができる。
【実施例３】
【００２６】
図５、５Ａ、６、７を参照すると、本考案の実施例３のゴルフクラブヘッドのフェース板の結合構造が掲示される。実施例１と比較すると、実施例３においてヘッド本体１の結合溝道１５は充填空間１６に近い側面において複数個の係止突出体１５３と複数個の充填材浸入空間１５４が間隔をもって排列されることにより、係止して嵌合するのに役立つことができる。係止突出体１５３は半円柱状、梯形柱状または三角柱状などのその他の柱体形状のどれかに形成され、さらに係止突出体１５３には変形の自由度を有するように形成されるため、弾性／塑性変形の方式によりヘッド本体２の結合フランジ２４を係止し結合することができる。充填材浸入空間１５４は毛細作用により浸入された部分的な硬ろう付け材料を直接導引と承接するのに用いられるため、比較的よい結合強度の硬ろう付け層（図示せず）が形成される。
【００２７】
図６Ａを参照すると、ヘッド本体１の正面において内フランジ１７の高さＨ１（充填空間１６の充填口の高さに相当する）は好ましくは実質上として当接面１４の高さＨ２（結合溝道１５の開口部の高さに相当する）より大きくなるように形成される。また、図６Ｂを参照すると、製品の需要性に応じて内フランジ１７の高さＨ１も実質上として当接面１４の高さＨ２と同じになるように選択することができる。
【実施例４】
【００２８】
図８を参照すると、本考案の実施例４のゴルフクラブヘッドのフェース板の結合構造が掲示される。実施例１と比較すると、実施例４において結合溝道１５、充填空間１６、係止突出体１５１と充填材浸入空間１５２は非連続的な方式でヘッド本体１の溝座１２の開口部の周囲に設けられる。溝座１２の開口部の周囲において結合溝道１５と充填空間１６を設けていない位置には当接面１４と内フランジ１７のどちらかしか形成しない。また、結合フランジ２４も非連続的な方式で対応するようにフェース板２の環状壁２１の末端に設けられる。環状壁２１の末端において結合フランジ２４を設けていない位置には肩部２３だけが対応するように形成される。これにより、本考案においてヘッド本体１とフェース板２との組立の自由度および結合の強度を適当に調整することができるため、異なる製品の設計の需要性と符合することができる。
【実施例５】
【００２９】
図９を参照すると、本考案の実施例５のゴルフクラブヘッドのフェース板の結合構造が掲示される。実施例１と比較すると、実施例１においてアイアン型ゴルフクラブヘッド１が応用されるが、実施例５においてはウッド型ゴルフクラブヘッド１が応用される。充填材の充填の便利性を図るべく、組み立てる前においてヘッド本体１の充填空間１６には予め固体形式の硬ろう付け材料３が置き入れられる。これにより、フェース板２がヘッド本体１を結合した後、加熱して硬ろう付けの製造工程を行うだけで、硬ろう付け材料３は熱を受けることによって溶融され、そして硬ろう付け層（図示せず、図３参照）が形成されるため、フェース板２とヘッド本体１は強固に結合してウッド型ゴルフクラブヘッドが形成される。
【００３０】
図９Ａを参照すると、ヘッド本体１の正面において内フランジ１７の高さＨ１（充填空間１６の充填口の高さに相当する）は好ましくは実質上として当接面１４の高さＨ２（結合溝道１５の開口部の高さに相当する）より大きくなるように形成される。また、図９Ｂを参照すると、製品の需要性に応じて内フランジ１７の高さＨ１も実質上として当接面１４の高さＨ２と同じになるように選択することができる。
【産業上の利用可能性】
【００３１】
上述の如く、従来のゴルフクラブヘッドのフェース板の結合構造によれば、充填空間内の熔接材料が毛細作用により部分的に浸み出るため、硬ろう付け後において局部的な空間が生じてしまうなどの問題点があったが、図３に示す本考案のゴルフクラブヘッドのフェース板の結合構造によれば、ヘッド本体１において結合溝道１５、充填空間１６と係止突出体１５１を設け、そしてそれぞれ嵌合、硬ろう付け熔接と変形の係止による方式を利用してフェース板２を強固に結合することにより、結合の強度を確実に強化し、結合の信頼性を確保し、さらにヘッドの使用寿命を延ばすことができる。
【００３２】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００３３】
【図１】本考案の実施例１のゴルフクラブヘッドのフェース板の結合構造を示す分解斜視図である。
【図１Ａ】図１の局部の拡大図である。
【図２】本考案の実施例１のゴルフクラブヘッドのフェース板の結合構造を示す分解断面図である。
【図２Ａ】図２の局部の拡大図である。
【図２Ｂ】図２のもう一つの局部の拡大図である。
【図３】本考案の実施例１のゴルフクラブヘッドのフェース板の結合構造による組み立てられた状態を示す断面図である。
【図４】本考案の実施例２のゴルフクラブヘッドのフェース板の結合構造による組み立てられた状態を示す断面図である。
【図５】本考案の実施例３のゴルフクラブヘッドのフェース板の結合構造を示す分解斜視図である。
【図５Ａ】図５の局部の拡大図である。
【図６】本考案の実施例３のゴルフクラブヘッドのフェース板の結合構造を示す分解断面図である。
【図６Ａ】図６の局部の拡大図である。
【図６Ｂ】図６のもう一つの局部の拡大図である。
【図７】本考案の実施例３のゴルフクラブヘッドのフェース板の結合構造による組み立てられた状態を示す断面図である。
【図８】本考案の実施例４のゴルフクラブヘッドのフェース板の結合構造を示す分解斜視図である。
【図９】本考案の実施例５のゴルフクラブヘッドのフェース板の結合構造を示す分解断面図である。
【図９Ａ】図９の局部の拡大図である。
【図９Ｂ】図９のもう一つの局部の拡大図である。
【符号の説明】
【００３４】
１    ヘッド本体                    １１    ホーゼル
１２    溝座                          １３    周壁部
１４    当接面                        １５    結合溝道
１５１    係止突出体                  １５２    充填材浸入空間
１５３    係止突出体                  １５４    充填材浸入空間
１６    充填空間                      １７    内フランジ
２    フェース板                    ２１    環状壁
２２    凹欠部                        ２３    肩部
２４    結合フランジ                    ３    硬ろう付け材料
【図１】
0003111609.tif 000003
【図１Ａ】
0003111609.tif 000004
【図２】
0003111609.tif 000005
【図２Ａ】
0003111609.tif 000006
【図２Ｂ】
0003111609.tif 000007
【図３】
0003111609.tif 000008
【図４】
0003111609.tif 000009
【図５】
0003111609.tif 000010
【図５Ａ】
0003111609.tif 000011
【図６】
0003111609.tif 000012
【図６Ａ】
0003111609.tif 000013
【図６Ｂ】
0003111609.tif 000014
【図７】
0003111609.tif 000015
【図８】
0003111609.tif 000016
【図９】
0003111609.tif 000017
【図９Ａ】
0003111609.tif 000018
【図９Ｂ】
0003111609.tif 000019